(57)【要約】【課題】照明制御システムの調光制御において、照明対象部分の正確な照度を取得して、照明対象部分を所定の照度とする調光制御を的確に行うことができる照明制御システムを提供する。【解決手段】照明制御システム１は、調光可能な一又は複数の照明器具４と、照度センサ２１により検出した周囲の照度に応じて調光制御対象である照明器具４の調光率を制御する調光端末器３とを備えたものであって、照度センサ２１を有し、調光端末器３との間で無線通信を行う照度センサ端末器２を備え、照度センサ端末器２は、照度センサ２１により検出した周囲の照度の値を調光端末器３へ送信し、調光端末器３は、前記照度の値を所定の目標照度の値となるように調光制御対象である照明器具４の調光率を制御するものである。【選択図】図１
2008204897.tif 000002
【特許請求の範囲】
【請求項１】
調光可能な一又は複数の照明器具と、照度センサにより検出した周囲の照度に応じて調光制御対象である照明器具の調光率を制御する調光端末器とを備えた照明制御システムにおいて、照度センサを有し、調光端末器との間で無線通信を行う照度センサ端末器を備え、照度センサ端末器は、照度センサにより検出した周囲の測定照度の値を調光端末器へ送信し、調光端末器は、前記測定照度の値を所定の目標照度の値となるように調光制御対象である照明器具の調光率を制御するものであることを特徴とする照明制御システム。
【請求項２】
調光端末器から照明器具の制御状態を取得する通信部と、照明器具の点灯及び消灯を行う遠隔制御部とを有する制御装置をさらに備え、制御装置は、通信部によって調光端末器から照明器具の調光率を取得し、遠隔制御部によって前記調光率と所定の調光率とを比較して照明器具の点灯及び消灯制御を行うものであることを特徴とする請求項１記載の照明制御システム。
【請求項３】
照度センサ端末器は、前記測定照度の値を補正する操作入力を受け付ける補正入力部と、前記補正の入力に応じて前記測定照度の値を補正する中央演算部とを備えたことを特徴とする請求項１又は２記載の照明制御システム。
【請求項４】
照度センサ端末器は、前記目標照度の値の変更入力を受け付ける目標照度入力部を備え、前記目標照度の値の変更を調光端末器へ送信するものであることを特徴とする請求項１乃至３のいずれか一項に記載の照明制御システム。
【発明の詳細な説明】
【技術分野】
【０００１】
本願発明は、照度センサによる照明領域の照度計測値に基づいて、照明器具の調光制御を行う照明制御システムに関するものである。
【背景技術】
【０００２】
従来から、照明領域の明るさが略一定になるように調光制御する照明制御システムとして特開２００５−０７１７７０号公報に示されている発明が知られている。この発明は、図４に示すように、調光制御信号を受けて光源からの光出力を調節可能とした照明器具４０と、照明器具４０による照明領域からの反射光を検出し、明るさ検知を行う明るさセンサ３０１を有する明るさセンサ端末３０とを電力線１００に接続し、前記明るさセンサ端末３０から調光制御信号を電力線搬送信号として出力し、前記照明器具４０を調光制御させるものである。
【０００３】
明るさセンサ端末３０は、床２０１の表面などの被照明表面における照度を検知して電圧に変換するもので、フォトダイオードやオペアンプ等で構成された明るさセンサ３０１と、マイコンを中心に構成され、明るさセンサ３０１の電圧出力を入力し前記照明器具４０の制御出力を行う制御部３０２と、明るさセンサ３０１の出力電圧が照明領域における目標照度を達成する調光レベルとなるように設定するもので、ボリュームスイッチとプッシュスイッチを具備する目標調光レベル設定部３０３と、電力線１００の商用電源に高周波信号を重畳して通信を行う通信手段である通信モジュール３０４を有している。
【特許文献１】特開２００５−０７１７７０号公報
【発明の開示】
【発明が解決しようとする課題】
【０００４】
しかし、上記従来例である照明制御システムにおいては、明るさセンサ端末３０は、天井２０２などに設置され、床２０１の表面などの被照明表面から反射してくる反射光を用いて照度を検知するため、床２０１の表面などの色や障害物の有無などによって反射してくる反射光の照度が変化し、調光制御を行うための適切な照度を取得できないといった問題があった。
【０００５】
本願発明は、上記背景技術に鑑みて発明されたものであり、その目的は、照明制御システムの調光制御において、照明対象部分の正確な照度を取得して、照明対象部分を所定の照度とする調光制御を的確に行うことができる照明制御システムを提供することを課題とするものである。
【課題を解決するための手段】
【０００６】
上記課題を解決するために、本願請求項１記載の発明では、調光可能な一又は複数の照明器具と、照度センサにより検出した周囲の照度に応じて調光制御対象である照明器具の調光率を制御する調光端末器とを備えた照明制御システムにおいて、照度センサを有し、調光端末器との間で無線通信を行う照度センサ端末器を備え、照度センサ端末器は、照度センサにより検出した周囲の測定照度の値を調光端末器へ送信し、調光端末器は、前記測定照度の値を所定の目標照度の値となるように調光制御対象である照明器具の調光率を制御するものであることを特徴としている。
【０００７】
本願請求項２記載の発明では、上記請求項１記載の照明制御システムにおいて、調光端末器から照明器具の制御状態を取得する通信部と、照明器具の点灯及び消灯を行う遠隔制御部とを有する制御装置をさらに備え、制御装置は、通信部によって調光端末器から照明器具の調光率を取得し、遠隔制御部によって前記調光率と所定の調光率とを比較して照明器具の点灯及び消灯制御を行うものであることを特徴としている。
【０００８】
本願請求項３記載の発明では、上記請求項１又は２記載の照明制御システムにおいて、照度センサ端末器は、前記測定照度の値を補正する操作入力を受け付ける補正入力部と、前記補正の入力に応じて前記測定照度の値を補正する中央演算部とを備えたことを特徴としている。
【０００９】
本願請求項４記載の発明では、上記請求項１乃至３のいずれか一項に記載の照明制御システムにおいて、照度センサ端末器は、前記目標照度の値の変更入力を受け付ける目標照度入力部を備え、前記目標照度の値の変更を調光端末器へ送信するものであることを特徴としている。
【発明の効果】
【００１０】
本願請求項１記載の発明の照明制御システムにおいては、照度センサを有し、調光端末器との間で無線通信を行う照度センサ端末器を備え、照度センサ端末器は、照度センサにより検出した周囲の測定照度の値を調光端末器へ送信するものであるので、照度センサ端末器を照明対象部分付近に配置することができる。このことによって、照度センサを天井などの照明対象部分から離れた箇所に設置することなく、照明対象部分の正確な照度を計測することが可能である。また、調光端末器は、照度センサ端末器より無線通信を用いて前記測定照度の値を取得し、前記測定照度の値を所定の目標照度の値となるように調光制御対象である照明器具の調光率を制御するものであるので、調光端末器は照度センサ端末器と離れた位置に設置することができると共に、照度センサ端末器より正確な測定照度の値を取得することができる。このことによって、照明対象部分の正確な測定照度の値を取得して、照明対象部分を所定の目標照度とする調光制御を的確に行うことができる。
【００１１】
本願請求項２記載の発明の照明制御システムにおいては、特に、制御装置は、調光端末器から照明器具の調光率を取得する通信部を有しているので、外光などによって十分に照度が確保されている照明対象部分に対応する照明器具の調光率が小さい値となっていることを把握することができる。さらに、制御装置は、前記調光率と所定の調光率とを比較して照明器具の点灯及び消灯制御を行う遠隔制御部を有するので、前記調光率が所定の調光率以下の場合に、外光などによって十分に照度が確保されていると判断し、照明器具を消灯する制御を行うことができるので、消費エネルギーを削減することができる照明制御システムを提供することができる。
【００１２】
本願請求項３記載の発明の照明制御システムにおいては、特に、照度センサ端末器は、測定照度の値を補正する操作入力を受け付ける補正入力部と、前記補正の入力に応じて前記測定照度の値を補正する中央演算部とを備えているので、補正入力部へ照度センサの補正値を入力することによって、照度センサの補正を容易に行うことができる。
【００１３】
本願請求項４記載の発明の照明制御システムにおいては、特に、照度センサ端末器は、目標照度の値の変更入力を受け付ける目標照度入力部を備え、前記目標照度の値の変更を調光端末器へ送信するものであるので、目標照度の値の変更を照明対象部分に設置されている照度センサ端末器によって行うことができる。このことによって、天井などに設置されている調光端末器を直接操作する必要がなくなり、比較的操作しやすい位置に設置されている照度センサ端末器を用いて、目標照度の値の変更を容易に行うことができる。
【発明を実施するための最良の形態】
【００１４】
図１及び図２は、本願発明の実施形態である照明制御システムを示している。照明制御システム１は、調光可能な一又は複数の照明器具４と、照度センサ２１により検出した周囲の照度に応じて調光制御対象である照明器具４の調光率を制御する調光端末器３とを備えており、照度センサ２１を有し、調光端末器２との間で無線通信を行う照度センサ端末器２を備え、照度センサ端末器２は、照度センサ２１により検出した周囲の測定照度の値を調光端末器３へ送信し、調光端末器３は、前記測定照度の値を所定の目標照度の値となるように調光制御対象である照明器具４の調光率を制御するものである。ここで、調光端末器３は、照明器具４の調光率を制御するが、適切な調光率を算出して照明器具４へ送信してもよいし、照明器具４の点灯する適切な照度を算出して照明器具４へ送信してもよい。また、調光端末器３から照明器具４の制御状態を取得する通信部５１と、照明器具４の点灯及び消灯を行う遠隔制御部５２とを有する制御装置５をさらに備え、制御装置５は、通信部５１によって調光端末器３から照明器具４の調光率を取得し、遠隔制御部５２によって前記調光率と所定の調光率とを比較して照明器具４の点灯及び消灯制御を行うものである。また、照度センサ端末器２は、前記測定照度の値を補正する操作入力を受け付ける補正入力部２２と、前記補正の入力に応じて前記測定照度の値を補正する中央演算部２６とを備えている。また、照度センサ端末器２は、前記目標照度の値の変更入力を受け付ける目標照度入力部２４を備え、前記目標照度の値の変更を調光端末器３へ送信するものである。また、照度センサ端末器２は、所定の照明器具４の点灯及び消灯制御入力と、点灯及び消灯のスケジュールの設定変更入力とを受け付ける制御設定入力部２５を備え、前記点灯及び消灯制御の情報と前記スケジュールの設定変更の情報とを調光端末器３へ送信するものであり、調光端末器３は、前記点灯及び消灯制御の情報と前記スケジュールの設定変更の情報とを制御装置５へ送信するものである。
【００１５】
以下、この実施形態の照明制御システム１をより具体的詳細に説明する。図１に示すように、照明制御システム１は、伝送線１０で接続されて、互いに通信可能である調光端末器３と照明器具４と制御装置５と中央監視装置６とで構成されており、さらに、照明対象部分である床２０１の表面付近に設置することができる照度センサ端末器２を備えている。なお、本実施形態では、照明対象部分を床２０１としたものを例示するが、机上、作業台などであってもよい。また、本実施形態では、調光端末器３が天井２０２に設置されているものを例示するが、壁面などに設置されてもよい。
【００１６】
図２に示すように、照度センサ端末器２は、明るさを測定する照度センサ２１と、照度センサ２１を用いて検出される測定照度の値を補正操作することができる補正入力部２２と、目標照度の値の変更を入力することができる目標照度入力部２４と、照明器具４に対して種々制御設定入力をすることができる制御設定入力部２５と、各部からの信号を処理する中央演算部２６と、調光端末器３との間で種々信号を無線送受信することができる無線通信部２７を有している。
【００１７】
照度センサ２１は、床２０１の表面付近の照度を測定するものであって、フォトトランジスタを使うもの、フォトダイオードを使うもの、フォトダイオードにアンプ回路を追加したものなどがあるが、これに限定されることなく、明るさを測定できるものであればよい。中央演算部２６は照度センサ２１で測定された照度の電気信号を処理し、測定照度の値を算出する。算出された測定照度の値は、無線通信部２７を介して調光端末器３へ無線送信される。
【００１８】
ここで、照度センサ２１に対する補正操作とは、照度センサ２１から中央演算部２６へ入力される電気信号を処理して測定照度の値を算出する演算式の補正を行うことである。このことによって、照度センサ２１からの電気信号に対する測定照度の値のズレを補正することができる。
【００１９】
補正入力部２２、目標照度入力部２４及び制御設定入力部２５は、図３に示すように、照度センサ端末器２の表面に一つの表示部１０１及び複数の操作スイッチ１０２〜１０７でまとめて構成されている。なお、本実施形態で示した例では、それぞれの入力部はまとめて構成されているが、それぞれの入力部が、それぞれの表示部及びそれぞれの操作スイッチを備えるものであってもよい。
【００２０】
図２に示すように、調光端末器３は、照明器具４へ調光信号を送信する調光信号送信部３１と、照度センサ端末器２と無線通信を行う無線通信部３７と、各部からの信号を処理する中央演算部３６と、種々データを保存することができるメモリ部３８と、制御装置５と情報の送受信を行う通信部３９とを有している。また、本実施形態では、調光端末器３は、天井２０２に設置されている。
【００２１】
無線通信部３７は、照度センサ端末器２より送信されてくる測定照度の値を受信するものであり、それぞれの通信は無線通信によって行われる。また、照度センサ端末器２へ測定照度の値の送信を要求する照度要求信号を送信することもできる。
【００２２】
中央演算部３６は、無線通信部３７で受信した床２０１の表面の測定照度の値が、メモリ部３８に保存されている予め設定された目標照度の値となるように、照明器具４の調光率を算出する。
【００２３】
調光信号送信部３１は、中央演算部３６で算出された調光率を調光信号として照明器具４へ通信線１１を介して送信するものである。
【００２４】
通信部３９は、制御装置５との通信を、伝送線１０を介して行うものであり、床２０１の表面の測定照度の値や照明器具４へ送信した調光率を制御装置５へ送信するものである。また、制御装置５からの制御命令を受信することもできる。
【００２５】
図１に示すように、照明器具４は、照明対象部分である床２０１を照らす器具であり、調光端末器３からの調光信号である調光率を受信して、調光率を変更することができるものである。さらに、照明器具４には、リレー端末器７が接続されており、リレー端末器７は、制御装置５又は中央監視装置６から伝送線１０を介して点灯又は消灯の制御命令を受信し、内蔵されているリレーをＯＮ又はＯＦＦすることによって、照明器具４を点灯又は消灯することができる。
【００２６】
図１に示すように、制御装置５は、伝送線１０を介して調光端末器３と、リレー端末器７と、中央監視装置６とに接続されている。制御装置５は、伝送線１０を介して他の端末器と通信する通信部５１と、照明器具４の制御を行う遠隔制御部５２と、種々データを保存することができるメモリ部５３とを有している。
【００２７】
図１に示すように、中央監視装置６は、伝送線１０を介して調光端末器３と、リレー端末器７と、制御装置５とに接続されている。中央監視装置６は、リレー端末器７及び調光端末器３の情報を取得し、現在の制御状態を監視することができる。また、制御装置５を介してリレー端末器７及び調光端末器３への制御命令を行うことができる。また、伝送線１０を介して、リレー端末器７及び調光端末器３への制御命令を直接行うこともできる。
【００２８】
次に、照明制御システムの動作について説明する。照明対象部分である床２０１の表面を一定の目標照度に保つように照明器具４を調光制御する動作については、床２０１の表面付近に照度センサ端末器２を設置し、床２０１の表面付近の照度を照度センサ２１によって測定する。測定された照度の電気信号は照度センサ２１から中央演算部２６へ入力され、中央演算部２６によって測定照度の値が算出される。算出された測定照度の値は、無線通信部２７を介して調光端末器３へ送信される。調光端末器３は、定期的に測定照度の値を照度センサ端末器２より受信して、常時、床２０１の表面をメモリ部３８に予め保存されている目標照度の値に保つように照明器具４の調光率を制御する。この調光率の値は調光信号として照明器具４へ通信線１１を介して送信される。ここで、一定の目標照度に保つために行う照明器具４の調光率の制御として、照明器具４の調光率を決定するものであるが、照明器具４の点灯する照度を決定するものであってもよい。
【００２９】
さらに、照度センサ端末器２が行う測定照度の値の調光端末器３への無線送信は、調光端末器３からの送信要求なしに定期的に行うものであってもよいし、調光端末器３からの照度要求信号に応じて、調光端末器３からの照度要求信号の受信ごとに返信するものでも、照度要求信号を一度受信して、その後は定期的に測定照度の値を返信するものであってもよい。また、調光端末器３は、受信した測定照度の値及び照明器具４へ送信した調光率の値を、伝送線１０を介して制御装置５へ常時送信する。
【００３０】
次に、制御装置５による照明器具４の点灯制御状態に基づいて照明器具４の点灯及び消灯の制御動作について説明する。制御装置５は、上述したように、調光端末器３より照明器具４へ送信した調光率の値を受信している。この受信した調光率の値がメモリ部５３に予め保存されている所定の調光率より小さい場合には、照明器具４を点灯することなく、外光などによって十分な照度を床２０１の表面で得ることができると考えられる。メモリ部５３に保存されている予め設定された所定の調光率と、調光端末器３より取得した調光率の値とを比較して、前記所定の調光率より前記取得した調光率の値が小さい場合には、照明器具４を消灯する制御を遠隔制御部５２によって行う。消灯する信号は、通信部５１によって伝送線１０を介して該当する照明器具４に接続されているリレー端末器７へ送信される。リレー端末器７は、消灯する信号を受信すると、内蔵されているリレーをＯＦＦする制御を行い、照明器具４は消灯される。
【００３１】
この制御によって照明器具４が消灯された後に、再び前記所定の調光率より前記取得した調光率の値が大きくなった場合には、照明器具４を点灯する制御を遠隔制御部５２によって行う。点灯する信号は、通信部５１によって伝送線１０を介して該当する照明器具４に接続されているリレー端末器７へ送信される。リレー端末器７は、点灯する信号を受信すると、内蔵されているリレーをＯＮする制御を行い、照明器具４は点灯される。
【００３２】
次に、照度センサ端末器２によって行う照度センサ２１による測定照度の値の補正、目標照度の設定変更、照明器具４の消灯及び点灯制御、及び照明器具４の消灯及び点灯のスケジュール設定変更について説明する。図３に示すように、照度センサ端末器２の表面には、表示部１０１と複数の操作スイッチ１０２〜１０７が構成されている。
【００３３】
照度センサ２１による測定照度の値の補正を行う場合の操作については、照度補正用の操作スイッチ１０２を押下すると、表示部１０１に現在の設定されている補正値が表示される。操作スイッチ１０４のＵＰキーとＤＯＷＮキーを用いて、表示された補正値を変更することができる。所定の値に変更した後、決定するための操作スイッチ１０５を押下すると、変更した補正値が中央演算部２６へ送信される。さらに、中央演算部２６は、照度センサ２１から入力される電気信号と補正値によって補正した演算式とを用いて測定照度の値を算出する。
【００３４】
次に、目標照度の設定を行う場合の操作について説明する。目標照度設定用の操作スイッチ１０３を押下すると、表示部１０１に現在の目標照度が表示される。操作スイッチ１０４のＵＰキーとＤＯＷＮキーを用いて、表示された目標照度の値を変更することができる。所定の値に変更した後、決定するための操作スイッチ１０５を押下すると、変更した目標照度の値が中央演算部２６へ送信されて目標照度の値の変更が行われる。中央演算部２６は、目標照度入力部２４より目標照度の値の変更を受信した場合、無線通信部２７を介して調光端末器３へ目標照度の値を送信する。調光端末器３は、目標照度の値を照度センサ端末器２より受信した場合、目標照度の値を変更して調光制御の演算を行う。また、併せてメモリ部３８に保存されている目標照度の値も変更する。
【００３５】
次に、照明器具４の消灯及び点灯制御を行う場合の操作について説明する。消灯及び点灯用の操作スイッチ１０６でＯＮ側のスイッチを押下した場合に、制御設定入力部２５より中央演算部２６へ照明器具４を点灯する命令が送信される。中央演算部２６は前記点灯する命令を受信すると、無線通信部２７を介して、調光端末器３へ該当する照明器具４を点灯する命令を送信する。調光端末器３は前記点灯する命令を受信すると、伝送線１０を介して該当する照明器具４に接続されているリレー端末器７へ照明器具４を点灯する命令を送信する。リレー端末器７は、前記点灯する命令を受信した場合、内蔵されているリレーをＯＮして接続されている照明器具４を点灯させることができる。
【００３６】
また、消灯及び点灯用の操作スイッチ１０６でＯＦＦ側のスイッチを押下した場合に、制御設定入力部２５より中央演算部２６へ照明器具４を消灯する命令が送信される。中央演算部２６は前記消灯する命令を受信すると、無線通信部２７を介して、調光端末器３へ該当する照明器具４を消灯する命令を送信する。調光端末器３は前記消灯する命令を受信すると、伝送線１０を介して該当する照明器具４に接続されているリレー端末器７へ照明器具４を消灯する命令を送信する。リレー端末器７は、前記消灯する命令を受信した場合、内蔵されているリレーをＯＦＦして接続されている照明器具４を消灯させることができる。
【００３７】
ここで、照度センサ端末器２によって管理されている照明器具４が複数台存在する場合には、表示部１０１によって、制御対象とする照明器具４を選択して点灯及び消灯の制御を行うことができる。
【００３８】
次に、照明器具４の消灯及び点灯のスケジュール設定変更を行う場合の操作について説明する。スケジュール設定変更用の操作スイッチ１０７によって、照明器具４の消灯及び点灯のスケジュールの設定変更を行う。操作スイッチ１０７は、月、日、時、分の入力用スイッチがあり、消灯及び点灯の日時を表示部１０１で確認して設定することができる。照明器具４の消灯及び点灯は、一日に複数回行うことが可能である。また、照度センサ端末器２によって管理されている照明器具４が複数台存在する場合には、表示部１０１によって、制御対象とする照明器具４を選択して点灯及び消灯のスケジュール設定変更を行うことができる。
【００３９】
さらに、スケジュール設定変更の内容については、調光端末器３及び伝送線１０を介して中央監視装置６へ送信される。中央監視装置６においても、照明器具４の消灯及び点灯のスケジュール設定変更は可能であるので、中央監視装置６は、照度センサ端末器２でスケジュール設定変更の内容を確認する機能を有し、中央監視装置６又は照度センサ端末器２のどちらのスケジュール設定変更を優先するかを決定することができる。
【００４０】
なお、照度センサ端末器２と調光端末器３との無線通信について、照度センサ端末器２には対応する調光端末器３を指定するアドレス設定部（図示せず）を有し、調光端末器３にも同様に対応する照度センサ端末器２を指定するアドレス設定部（図示せず）を有することができる。このことによって、同一空間に複数の照度センサ端末器２及び複数の調光端末器３が存在する場合においても、無線通信が混線することなく、システム構築することができる。
【００４１】
したがって、照度センサ２１を有し、調光端末器３との間で無線通信を行う照度センサ端末器２を備え、照度センサ端末器２は、照度センサ２１により検出した周囲の測定照度の値を調光端末器３へ送信するものであるので、照度センサ端末器２を照明対象部分である床２０１の表面付近に配置することができる。このことによって、照度センサ２１を天井２０２のような床２０１から離れた箇所に設置することなく、床２０１の表面の正確な照度を計測することが可能である。また、調光端末器３は、照度センサ端末器２より無線通信を用いて前記測定照度の値を取得し、前記測定照度の値を所定の目標照度の値となるように調光制御対象である照明器具４の調光率を制御するものであるので、調光端末器３は照度センサ端末器２と離れた位置に設置することができると共に、照度センサ端末器２より正確な測定照度の値を取得することができる。このことによって、床２０１の表面の正確な測定照度の値を取得して、床２０１の表面を所定の目標照度とする調光制御を的確に行うことができる。さらに、照度センサ端末器２と調光端末器３とは、無線通信を用いて通信するので、通信配線が不要となる。このことによって、それぞれ端末器の配置の自由度が高まり、通信配線の工事が不要であるので、コストを抑えた照明制御システム１の提供が可能となる。
【００４２】
さらに、制御装置５は、調光端末器３から照明器具４の調光率を取得する通信部５１を有しているので、外光などによって十分に照度が確保されている床２０１を照らす照明器具４の調光率が小さい値となっていることを把握することができる。さらに、制御装置５は、前記調光率と所定の調光率とを比較して照明器具４の点灯及び消灯制御を行う遠隔制御部５２を有するので、前記調光率が所定の調光率以下の場合に、外光などによって十分に照度が確保されていると判断し、照明器具４を消灯する制御を行うことができるので、消費エネルギーを削減することができる照明制御システム１を提供することができる。
【００４３】
そして、照度センサ端末器２は、測定照度の値を補正する操作入力を受け付ける補正入力部２２と、前記補正の入力に応じて前記測定照度の値を補正する中央演算部２６とを備えているので、補正入力部２２へ照度センサ２１の補正値を入力することによって、照度センサ２１の補正を容易に行うことができる。
【００４４】
また、照度センサ端末器２は、目標照度の値の変更入力を受け付ける目標照度入力部２４を備え、前記目標照度の値の変更を調光端末器３へ送信するものであるので、目標照度の値の変更を床２０１の表面付近に設置されている照度センサ端末器２によって行うことができる。このことによって、天井２０２に設置されている調光端末器３を直接操作する必要がなくなり、比較的操作しやすい位置に設置されている照度センサ端末器２を用いて、目標照度の値の変更を容易に行うことができる。
【００４５】
さらに、照度センサ端末器２は、所定の照明器具４の点灯及び消灯制御入力と、点灯及び消灯のスケジュールの設定変更入力とを受け付ける制御設定入力部２５を備えているので、別の部屋など、照明対象部分と離れた場所に設置されている中央監視装置６によって操作する必要がなく、比較的操作しやすい位置に設置されている照度センサ端末器２を用いて、照明器具４の点灯及び消灯制御と制御スケジュールの設定変更とを容易に行うことができる。
【図面の簡単な説明】
【００４６】
【図１】本願発明の実施形態である照明制御システムのシステム構成図である。
【図２】同照明制御システムの構成を示すブロック構成図である。
【図３】同照明制御システムの照度センサ端末器の各種入力部を示す概略図である。
【図４】従来例である照明制御システムの構成を示すシステム構成図である。
【符号の説明】
【００４７】
１  照明制御システム
２  照度センサ端末器
２１  照度センサ
２３  照度補正部
２４  目標照度入力部
２５  制御設定入力部
２６  中央演算部
３  調光端末器
４  照明器具
５  制御装置
５１  通信部
５２  遠隔制御部
【図１】
2008204897.tif 000003
【図２】
2008204897.tif 000004
【図３】
2008204897.tif 000005
【図４】
2008204897.tif 000006